(57)【要約】      （修正有）【課題】芳香の量を任意の量に調整可能で容器本体に着脱可能な構成を有する芳香剤容器用蓋及び芳香剤容器用蓋を用いた芳香剤容器のレンタル方法の提供。【解決手段】芳香剤容器用蓋１は芳香剤を収容する容器本体２の開口縁部２１に着脱可能に装着され、第１蓋部と第２蓋部とを備え、第２蓋部は第１蓋部に第２蓋部の中心軸周りに回動可能に取り付けられ、第１蓋部は略円盤状の第１蓋板と第２蓋板１２２の回動方向において第１蓋板に等間隔に形成された複数の第１開口部とを備え、第２蓋部は略円盤状の第２蓋板と回動方向において第２蓋板に等間隔に形成された複数の第２開口部１２４とを備え、第２蓋部は第１開口部と第２開口部とが重なり合う重複開口部における開口面積が最大となる第１開口状態と開口面積が最小となる第２開口状態との間で開口面積を変化させるように回動し、そして、芳香剤を充填した容器本体のみをレンタル先に持参し、交換する。【選択図】図１
2020054583.tif 000002
【特許請求の範囲】
【請求項１】
芳香剤容器の蓋として用いられる芳香剤容器用蓋であって、
芳香剤を収容する容器本体の開口縁部に着脱可能に装着され、
第１蓋部と、第２蓋部と、を備え、
前記第２蓋部は、前記第１蓋部に、前記第２蓋部の中心軸周りに回動可能に取り付けられており、
前記第１蓋部は、略円盤状の第１蓋板と、前記第２蓋板の回動方向において前記第１蓋板に等間隔に形成された複数の第１開口部と、を備え、
前記第２蓋部は、略円盤状の第２蓋板と、前記回動方向において前記第２蓋板に等間隔に形成された複数の第２開口部と、を備え、
前記第２蓋部は、前記第１開口部と前記第２開口部とが重なり合う重複開口部における開口面積が最大となる第１開口状態と、前記開口面積が最小となる第２開口状態と、の間で前記開口面積を変化させるように回動することを特徴とする芳香剤容器用蓋。
【請求項２】
前記第１蓋部及び前記第２蓋部のうちいずれか一方の蓋部は、前記回動方向に延びるガイド溝を備え、他方の蓋部は、前記第２蓋部の回動時において前記ガイド溝にガイドされるスライド部を備えることを特徴とする請求項１に記載の芳香剤容器用蓋。
【請求項３】
前記スライド部は、前記ガイド溝を、前記中心軸の軸方向に貫通して延びており、
前記スライド部の先端部には、前記ガイド溝から前記スライド部が抜けることを抑制する抜け止め部が形成されていることを特徴とする請求項２に記載の芳香剤容器用蓋。
【請求項４】
前記第２開口状態において、前記開口面積が０より大きいことを特徴とする請求項１乃至３のいずれか１つに記載の芳香剤容器用蓋。
【請求項５】
前記第２蓋板の下面は、前記第１蓋板の上面より上方に位置することを特徴とする請求項１乃至４のいずれか１つに記載の芳香剤容器用蓋。
【請求項６】
前記第２蓋板のうち前記第２開口部の外縁を避けた位置には、突状の指掛け部が設けられていることを特徴とする請求項５に記載の芳香剤容器用蓋。
【請求項７】
請求項１乃至６のうちいずれかに記載の芳香剤容器用蓋を用いた、芳香剤容器のレンタル方法であって、
レンタル先に届ける容器本体を第１容器本体、レンタル先に設置されている芳香剤容器が備える容器本体を第２容器本体と定義したとき、
第１容器本体に芳香剤を充填するステップと、
前記第１容器本体を持参してレンタル先を訪問するステップと、
前記第２容器本体から前記芳香剤容器用蓋を取り外すステップと、
この取り外した前記芳香剤容器用蓋を前記第１容器本体に取り付けるステップと、
前記第２容器本体を回収するステップと、
を含む、芳香剤容器のレンタル方法。
【発明の詳細な説明】
【技術分野】
【０００１】
本発明は、芳香剤容器用蓋、及び芳香剤容器用蓋を用いた芳香剤容器のレンタル方法に関する。
【背景技術】
【０００２】
芳香剤容器として、これまで種々のものが用いられてきた。特許文献１には、開口部より芳香剤を収容する容器本体と、前記開口部の外周に形成された環状のフランジの内周側に溶着された気体透過性シートと、前記気体透過性シートを覆って前記フランジの外周側に溶着された気体不透過性シートと、を備える芳香剤容器が開示されている。この構成によれば、気体不透過性シートを剥がすことで、収容された芳香剤の芳香成分が揮発し、気体透過性シートを透過する。
【先行技術文献】
【特許文献】
【０００３】
【特許文献１】特開２０１５−９７５９８号公報
【発明の概要】
【発明が解決しようとする課題】
【０００４】
しかしながら、上記構成によれば、気体透過性シートを透過する芳香の量を任意の量に調整することができないため、使用者のニーズに応じた芳香量に適宜設定することが困難である。また、気体透過性シートが容器本体に対して着脱可能な構成となっていないため、芳香剤を使い切った場合、容器本体の再利用が困難である。そのため、芳香剤を使い切るたびに廃棄費用が掛かるほか、産業廃棄物等の環境問題を引き起こす可能性があり、好ましくない。
【０００５】
そこで、本発明は、芳香の量を任意の量に調整可能な構成を有すると共に、容器本体に着脱可能な構成を有する芳香剤容器用蓋を提供すること、及び、当該芳香剤容器用蓋を用いた芳香剤容器のレンタル方法を提供することを目的とする。
【課題を解決するための手段】
【０００６】
上記課題を解決するために、本発明に係る芳香剤容器用蓋は、（１）芳香剤容器の蓋として用いられる芳香剤容器用蓋であって、芳香剤を収容する容器本体の開口縁部に着脱可能に装着され、第１蓋部と、第２蓋部と、を備え、前記第２蓋部は、前記第１蓋部に、前記第２蓋部の中心軸周りに回動可能に取り付けられており、前記第１蓋部は、略円盤状の第１蓋板と、前記第２蓋板の回動方向において前記第１蓋板に等間隔に形成された複数の第１開口部と、を備え、前記第２蓋部は、略円盤状の第２蓋板と、前記回動方向において前記第２蓋板に等間隔に形成された複数の第２開口部と、を備え、前記第２蓋部は、前記第１開口部と前記第２開口部とが重なり合う重複開口部における開口面積が最大となる第１開口状態と、前記開口面積が最小となる第２開口状態と、の間で前記開口面積を変化させるように回動することを特徴とする芳香剤容器用蓋。
【０００７】
（２）前記第１蓋部及び前記第２蓋部のうちいずれか一方の蓋部は、前記回動方向に延びるガイド溝を備え、他方の蓋部は、前記第２蓋部の回動時において前記ガイド溝にガイドされるスライド部を備えることを特徴とする（１）に記載の芳香剤容器用蓋。
【０００８】
（３）前記スライド部は、前記ガイド溝を、前記中心軸の軸方向に貫通して延びており、前記スライド部の先端部には、前記ガイド溝から前記スライド部が抜けることを抑制する抜け止め部が形成されていることを特徴とする（２）に記載の芳香剤容器用蓋。
【０００９】
（４）前記第２開口状態において、前記開口面積が０より大きいことを特徴とする（１）乃至（３）のいずれか１つに記載の芳香剤容器用蓋。
【００１０】
（５）前記第２蓋板の下面は、前記第１蓋板の上面より上方に位置することを特徴とする（１）乃至（４）のいずれか１つに記載の芳香剤容器用蓋。
【００１１】
（６）前記第２蓋板のうち前記第２開口部の外縁を避けた位置には、突状の指掛け部が設けられていることを特徴とする（５）に記載の芳香剤容器用蓋。
【００１２】
（７）（１）乃至（６）のうちいずれかに記載の芳香剤容器用蓋を用いた、芳香剤容器のレンタル方法であって、レンタル先に届ける容器本体を第１容器本体、レンタル先に設置されている芳香剤容器が備える容器本体を第２容器本体と定義したとき、第１容器本体に芳香剤を充填するステップと、前記第１容器本体を持参してレンタル先を訪問するステップと、前記第２容器本体から前記芳香剤容器用蓋を取り外すステップと、この取り外した前記芳香剤容器用蓋を前記第１容器本体に取り付けるステップと、前記第２容器本体を回収するステップと、を含む、芳香剤容器のレンタル方法。
【発明の効果】
【００１３】
本発明によれば、芳香の量を任意の量に調整できるため、使用者（顧客）のニーズに合わせた芳香量を達成できる。また、本発明は容器本体に着脱可能な構成を有するため、芳香剤を使い切った後に容器本体を再利用することができる。これにより、コストを抑制できることに加え、廃棄物を削減できるため環境に与える悪影響を少なくできる。
【図面の簡単な説明】
【００１４】
【図１】本実施形態における芳香剤容器の分解斜視図である。
【図２ａ】本実施形態において、重複開口部の開口面積が最大となるように第２蓋部を回動させた状態における、芳香剤容器用蓋の正面図である。
【図２ｂ】本実施形態において、重複開口部の開口面積が最小となるように第２蓋部を回動させた状態における、芳香剤容器用蓋の正面図である。
【図３】本実施形態において、図２ａに記載の第２蓋部の回動状態における、芳香剤容器用蓋の背面図である。
【図４】本実施形態における、芳香剤容器用蓋の右側面図である。
【図５】本実施形態における、芳香剤容器用蓋の左側面図である。
【図６】本実施形態における、芳香剤容器用蓋の平面図である。
【図７】本実施形態における、芳香剤容器用蓋の底面図である。
【図８】本実施形態における、芳香剤容器用蓋を用いた芳香剤容器のレンタル方法を示すフローチャートである。
【発明を実施するための形態】
【００１５】
（第１実施形態）
以下、図面を参照しながら、本実施形態における、芳香剤容器用蓋の構成について説明する。図１は、本実施形態における芳香剤容器の分解斜視図である。図２ａは、本実施形態において、重複開口部の開口面積が最大となるように第２蓋部を回動させた状態における、芳香剤容器用蓋の正面図である。図２ｂは、本実施形態において、重複開口部の開口面積が最小となるように第２蓋部を回動させた状態における、芳香剤容器用蓋の正面図である。図３は、本実施形態において、図２ａに記載の第２蓋部の回動状態における、芳香剤容器用蓋の背面図である。図４は、本実施形態における、芳香剤容器用蓋の右側面図である。図５は、本実施形態における、芳香剤容器用蓋の左側面図である。図６は、本実施形態における、芳香剤容器用蓋の平面図である。図７は、本実施形態における、芳香剤容器用蓋の底面図である。ここで、図２ａ、図２ｂ及び図３に記載のハッチング部は、第１開口部１１５と第２開口部１２４とが重なり合う重複開口部を示す。以下、「軸方向」とは、第２蓋部１２の中心軸の軸方向を指すものとする。また、「周方向」とは、中心軸周りに第２蓋部１２が回動する回動方向を指すものとする。さらに、「径方向」とは、軸方向に見た場合における第２蓋部１２の径方向を指すものとする。
【００１６】
図１を参照して、芳香剤容器１０は、芳香剤容器用蓋１と、芳香剤容器本体２と、から構成される。芳香剤容器用蓋１は、第１蓋部１１と、第２蓋部１２と、を備える。
（第１蓋部）
図１乃至３を参照して、第１蓋部１１は、環状の天面部１１１と、天面部１１１の外縁の下面から軸方向下方に延びて円筒状を呈する側面部１１２と、側面部１１２の下端から径方向内側に突出した爪部１１３と、第１蓋板１１４と、を備える。爪部１１３を、芳香剤容器本体２の上方に設けられた開口縁部２１に係合させることにより、芳香剤容器用蓋１が芳香剤容器本体２に着脱可能に取り付けられる。芳香剤容器用蓋１及び芳香剤容器本体２の装着状態において、芳香剤容器用蓋１の側面部１１２の下端を軸方向上方に押し上げることにより、容器本体２の開口縁部２１と爪部１１３との係合が絶たれて、容器本体２から芳香剤容器用蓋１を容易に取り外すことができる。
【００１７】
開口縁部２１は、爪部１１３が係合可能な適宜の形状に形成することができる。本実施形態において、開口縁部２１には、爪部１１３が係合するためのねじ溝２１０が形成されている。また、容器本体２の形状は、円筒形状や円錐形状に限られず、例えば角柱や角錐等の形状であってよい。
【００１８】
図３を参照して、第１蓋板１１４は、略扇形状を呈する複数の蓋面１１４ａと、第１環状部１１４ｂと、第１環状部１１４ｂを包囲する第２環状部１１４ｃと、から成る。複数の蓋面１１４ａは、周方向に等間隔に形成されている。複数の蓋面１１４ａはそれぞれ、中心角側が第１環状部１１４ｂに配置され、弧側が第２環状部１１４ｃに配置されることにより、第１環状部１１４ｂと第２環状部１１４ｃとを繋げている。蓋面１１４ａは第１環状部１１４ｂと一体的に形成され、蓋面１１４ａの上面における外縁と、第２環状部１１４ｃの下面とは接合されている。第１蓋板１１４には、複数の蓋面１１４ａと、第１環状部１１４ｂと、第２環状部１１４ｃと、に包囲される位置に、複数の第１開口部１１５が形成されている。複数の第１開口部１１５は、略扇形状を呈しており、周方向に等間隔に形成されている。第１開口部１１５の大きさ及び形状は互いに略等しい。第１開口部１１５の周方向における幅Ａ１は、隣り合う第１開口部１１５の間の第１蓋板１１４（すなわち、蓋面１１４ａ）の周方向における幅Ａ２とほぼ均等である。また、第１環状部１１４ｂの中央部には、穴部１１６が形成されている。
【００１９】
環状部１１４ｃの外縁には、穴部１１６を挟んで対向する位置で切り欠かれた、一対の切欠き部１１７が形成されている。環状部１１４ｃの外縁のうち一対の切欠き部１１７を除く部分の上面が、天面部１１１の下面の内縁と接合している。
【００２０】
天面部１１１と切欠き部１１７とに包囲される位置には、一対のガイド溝１１８が形成されている。一対のガイド溝１１８は、周方向に延びており、穴部１１６を挟んで互いに対向している。後述するように、ガイド溝１１８にはスライド部１２３が挿通されており、ガイド溝１１８の始端部及び終端部によってスライド部１２３のスライド可能範囲が規定されている。
【００２１】
（第２蓋部）
第２蓋部１２は、天面部１１１に包囲される位置に配置される。第２蓋部１２は、軸方向に延びる円筒形状であって底面を備えた有底円筒部１２１と、有底円筒部１２１を包囲する円盤状の第２蓋板１２２と、第２蓋板１２２の外縁から軸方向下方に延びる一対のスライド部１２３と、を備える。有底円筒部１２１の底面部１２１ａから軸方向下方に向かって、一対の凸部１２１ｂが延びている。この凸部１２１ｂの外面は穴部１１６の内周面の一部に対応した形状を呈しており、凸部１２１ｂの外面が穴部１１６の内周面に当接することによって、第２蓋部１２が第１蓋部１１に対して回動可能に配置される。
【００２２】
第２蓋板１２２は、略円盤状を呈している。第２蓋板１２２には、略扇形状を呈する第２開口部１２４が、周方向に等間隔に、複数形成されている。第２開口部１２４の大きさ及び形状は、それぞれほぼ等しい。第２開口部１２４の数は、第１開口部１１５の数と等しい。第２開口部１２４の周方向における幅Ｂ１は、隣り合う第２開口部１２４の間の第２蓋板１２２の周方向における幅Ｂ２より広い。
【００２３】
一対のスライド部１２３は、ガイド溝１１８を挿通して形成されている。一対のスライド部１２３は、有底円筒部１２１を挟んで、互いに対向する位置に形成されている。スライド部１２３の下端部は、径方向外側に向かって延びており、フランジ状に形成されている。スライド部１２３の下端部における径方向の幅は、ガイド溝１１８の径方向における幅より広い。この構成によれば、軸方向において、第１蓋部１１と第２蓋部１２とが離隔する方向に外力がかかった場合、スライド部１２３の下端部の上面が天面部１１１の下面に当接する。すなわち、スライド部１２３の下端部は、ガイド溝１１８からスライド部１２３が抜けることを抑制する機能を有している。
【００２４】
図２ａ及び図２ｂを参照して、第２蓋部１２を回動させることにより、第２蓋部１２の第２開口部１２４と、容器本体２に取り付けられた第１蓋部１１の第１開口部１１５と、が重なり合う重複開口部における開口面積（すなわち、芳香剤容器用蓋１の開口面積）を、開口面積が最大となる開口状態（請求項１における「第１開口状態」に相当）と、開口面積が最小となる開口状態（請求項１における「第２開口状態」に相当）と、の間で種々変更することができる。この重複開口部の開口面積は、芳香が通過する通過面積に相当するため、重複開口部の開口面積を変化させることにより、放散される芳香の量を調整することができる。なお、第２蓋部１２の回動動作に応じて、スライド部１２３はガイド溝１１８に沿って回動する。そのため、第２蓋部１２の回動動作は、ガイド溝１１８の周方向における端部に接触することで停止する。
【００２５】
ここで、第２開口部１２４の周方向における幅Ｂ１は、隣り合う第１開口部１１５の間の第１蓋板１１４の周方向における幅Ａ２より広い。この構成によれば、芳香剤容器用蓋１の開口面積が最小となるように第２蓋部１２を回動させた場合であっても、第１開口部１１５と第２開口部１２４とが重なる部分が生じる（開口面積が０より大きくなる）。そのため、容器本体内部に芳香を密閉することなく、最小限の芳香を放散させることができる。すなわち、重複開口部の開口面積が最小となる第２開口状態において、重複開口部は、蓋面１１４ａの外縁に沿って径方向に延びるスリット形状を呈しており、このスリット状の重複開口部から最小限の芳香を放散することができる。
【００２６】
軸方向において、第２蓋板１２２の下面は第１蓋板１１４の上面より上方に位置する。この構成によれば、芳香剤容器用蓋１の開口面積が最小となるように第２蓋部１２を回動させた場合であっても、第２蓋板１２２の下面と第１蓋板１１４の上面との間に軸方向の空隙を形成することができる。そのため、容器本体内部に芳香を密閉することなく、最小限の芳香を放散させることができる。また、第２蓋部１２を回動させる際に第１蓋板１１４と第２蓋板１２２とが干渉しないため、第２蓋部１２をスムーズに回動させることができる。
【００２７】
第２蓋板１２２のうち第２開口部１２４の外縁を避けた位置には、第２蓋板１２２から軸方向上方に突出する第１突出部１２５（請求項６における「指掛け部」に相当）が設けられている。この第１突出部１２５が奏する効果は以下の通りである。すなわち、第２蓋部１２を第１蓋部１１に対して回動させる場合、第２蓋板１２２と指との摩擦で回動させると、摩擦力が十分に働かず、所望の位置まで第２蓋部１２をスムーズに回動させることができない。一方、第１突出部１２５に指を掛けて回動させることにより、より確実に周方向に力を加えることができるため、第２蓋部１２をより容易に回動させることができる。そのため、芳香剤容器用蓋１の重複開口部における開口面積をより容易に調整することが可能となる。
【００２８】
なお、第２開口部１２４の外縁に沿って、第２蓋板１２２から軸方向上方に突出する第２突出部１２６が形成されている。第２突出部１２６が奏する効果は、第１突出部１２５と同様である。
【００２９】
（芳香剤容器のレンタル方法）
芳香剤容器用蓋１を用いた芳香剤容器のレンタル方法について、図８を参照して以下に詳細に説明する。図８は、本実施形態における芳香剤容器用蓋を用いた芳香剤容器のレンタル方法を示すフローチャートである。なお、レンタル先に届ける容器本体は、既に使用されたものを再利用するものとする。
まず、レンタル先に届ける容器本体（以下、第１容器本体と称す）に取り付けられている密閉シート（芳香剤容器用蓋１とは異なり、容器本体内部の保護に用いられるシート）を取り外し（Ｓ１）、その中に残存している芳香剤を取り除く（Ｓ２）。芳香剤が取り除かれた第１容器本体の中に、新たに芳香剤を充填する（Ｓ３）。充填する芳香剤は、レンタル先の顧客が所望する香り及び芳香期間を満たすものであり、例えば、４０ｇで芳香期間が約４週間のシトラスの香りの芳香剤であってよいが、これに限られない。芳香剤充填後、第１容器本体に密閉シートを取り付け（Ｓ４）、第１容器本体を持参してレンタル先を訪問する（Ｓ５）。
【００３０】
レンタル先訪問時に、持参した第１容器本体の密閉シートを取り外す（Ｓ６）。芳香剤容器用蓋１を、レンタル先の顧客に設置された芳香剤容器から取り外してＳ６の第１容器本体に取り付けた後（Ｓ７）、芳香剤容器用蓋１の第２蓋部１２を回動させて、芳香剤容器用蓋１の開口面積の調整を行う（Ｓ８）。この工程により、顧客のニーズに応じた芳香量の調整が行われる。なお、Ｓ８における開口面積の調整については、上述のため、説明を繰り返さない。この芳香剤容器を芳香器等に設置することにより（Ｓ９）、芳香剤容器の設置作業が完了する。一方、顧客がレンタルしていた芳香剤容器の容器本体（以下、第２容器本体と称す）には、Ｓ６において第１容器本体から取り外された密閉シートが取り付けられる（Ｓ１０）。その後、第２容器本体は回収され（Ｓ１１）、再利用される。
【００３１】
上述の通り、芳香剤容器用蓋１が容器本体に着脱可能な構成を有しているため、容器本体を廃棄することなく再利用することができ、コスト削減に加え、環境をも考慮したレンタル方法が実現可能となる。
【００３２】
なお、上記レンタル方法は、既に使用された容器本体を第１容器本体として再利用する場合を前提としているが、未使用の容器本体を第１容器本体として使用する場合、Ｓ１及びＳ２を省略し、芳香剤を充填する過程（Ｓ３）から始めることができる。
【００３３】
また、上記レンタル方法は、密閉シートを付けて容器本体を回収及び保存する場合を前提としているが、密閉シートを取り付けることなく容器本体を回収及び保存してもよい。この場合、Ｓ１、Ｓ４、Ｓ６及びＳ１０を省略することができる。また、レンタル先に第１容器本体を運搬する際（Ｓ４）にのみ、密閉シートを第１容器本体に取り付けるようにしてもよい。この場合、Ｓ１及びＳ１０を省略することができる。
【００３４】
さらに、上記レンタル方法は、芳香器等に設置する芳香剤容器を前提としているが、芳香器等を要さない芳香剤容器であってよい。
【００３５】
なお、芳香剤容器用蓋及び容器本体の材質は、芳香剤容器用蓋及び容器本体として一般的に用いられる材質であればよく、例えばポリプロピレン（ＰＰ）が使用される。
【００３６】
（変形例１）
本実施形態において、第１開口部１１５及び第２開口部１２４は、周方向に等間隔に４つずつ設けられているが、これに限られず、周方向に等間隔にそれぞれ３つ以下又は５つ以上設けられていてもよい。
【００３７】
（変形例２）
本実施形態において、芳香剤容器用蓋１は、爪部１１３を備えることにより、容器本体に着脱可能となっている。しかしながら、これに限られず、例えば、側面部１１２の内周面に、容器本体２の開口縁部２１のねじ溝２１０に対応するねじ溝が形成されている構成であってよい。この場合、側面部１１２を容器本体の開口縁部に螺合させることにより、芳香剤容器用蓋１が容器本体２に装着される。
【００３８】
（変形例３）
本実施形態においては、第１蓋板１１４の穴部１１６の内周面に、有底円筒部１２１の一対の凸部１２１ｂの外面が当接することにより、第２蓋部１２が第１蓋部１１に対して回動可能に配置されている。しかしながら、これに限られず、例えば、第１蓋板１１４の中央部から軸方向上方に凸部が形成され、この凸部の外周が、第２蓋部に形成された穴部の内周面と当接することにより、第２蓋部１２が第１蓋部１１に対して回動可能に配置されてもよい。
【００３９】
（変形例４）
本実施形態においては、第１蓋部１１がガイド溝１１８を備え、第２蓋部１２がスライド部１２３を備えた構造であるが、これに限られず、第１蓋部１１がスライド部を備え、第２蓋部１２がガイド溝を備えた構造であってよい。この場合、スライド部の上端部がフランジ状に形成される。
【符号の説明】
【００４０】
１：芳香剤容器用蓋  ２：芳香剤容器本体  １１：第１蓋部  １２：第２蓋部  ２１：開口縁部  １１４：第１蓋板  １１５：第１開口部  １１８：ガイド溝  １２２：第２蓋板  １２３：スライド部  １２４：第２開口部  １２５：第１突出部  １２６：第２突出部
【図１】
2020054583.tif 000003
【図２ａ】
2020054583.tif 000004
【図２ｂ】
2020054583.tif 000005
【図３】
2020054583.tif 000006
【図４】
2020054583.tif 000007
【図５】
2020054583.tif 000008
【図６】
2020054583.tif 000009
【図７】
2020054583.tif 000010
【図８】
2020054583.tif 000011